【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
構造体に取付可能な訓練装置であって、当該訓練装置が、
一対のグリップ間に、ある長さを有する非弾性細長部材と、
前記構造体に取付可能で前記非弾性細長部材用のサポートを有するアンカであって、前記一対のグリップの各々と前記サポートとの間にある間隔を有し、前記アンカが前記構造体に取り付けられて、前記グリップが前記構造体から離れるよう引っ張っられたときに、前記サポートは、
前記サポートが、前記構造体から離れるように延在し、
前記細長部材が、前記一対のグリップの各々と前記サポートとの間の間隔が、前記一対のグリップの１又はそれ以上を前記アンカから離れるように引くことにより調節可能となるように前記サポートを通り可動であるアンカと、
前記アンカが前記細長部材を支持する位置範囲を前記一対のグリップ間の長さより短く制限する手段と、を具えることを特徴とする訓練装置。
【請求項２】
請求項１に記載の訓練装置において、前記手段が、前記細長部材に取り付けられたある長さの材料で形成されたループを具え、前記アンカが前記ループを通ることを特徴とする訓練装置。
【請求項３】
請求項２に記載の訓練装置において、前記ある長さの材料は、前記細長部材の１以上の側部位置に連結されることを特徴とする訓練装置。
【請求項４】
請求項２に記載の訓練装置において、前記ある長さの材料は、柔軟材料を含むことを特徴とする訓練装置。
【請求項５】
請求項１に記載の訓練装置において、前記手段は、前記位置を約１インチ（２５ｍｍ）乃至約１２インチ（０．３ｍ）の間に制限することを特徴とする訓練装置。
【請求項６】
請求項１に記載の訓練装置において、前記アンカは、前記非弾性部材に摩擦サポートを提供することを特徴とする訓練装置。
【請求項７】
請求項１に記載の訓練装置において、前記サポートは摩擦サポートであり、前記アンカがさらに、
前記構造体に取付可能な第１の部分と、
前記摩擦サポートを具える第２の部分と、
前記第１の部分が前記構造体に取り付けられた状態で前記第１の部分を前記第２の部分から切り離す手段と、を具えることを特徴とする訓練装置。
【請求項８】
構造体に取付可能な訓練装置であって、当該訓練装置が、
一対のグリップ間にある長さを有する非弾性細長部材と、
前記構造体に取付可能で前記非弾性細長部材用のサポートを具えるアンカであって、前記一対のグリップの各々と前記サポートとの間の間隔を有し、前記アンカが前記構造体に取り付けられて前記グリップが前記構造体から離れるように引っ張られたときに、
前記サポートが、前記構造体から離れるように延在し、
前記細長部材が、前記一対のグリップの各々と前記サポートとの間の間隔が、前記一対のグリップの１又はそれ以上を前記アンカから離すことにより調節可能となるように前記アンカを通り可動であるアンカと、
前記細長部材に取り付けられる１以上のループを有する間隔であって、前記一対のグリップ間の長さより短い間隔まで前記サポートと前記細長部材が、接触する位置の移動を制限する間隔とを具えることを特徴とする訓練装置。
【請求項９】
請求項８に記載の訓練装置において、前記１以上のループは、前記非弾性部材の一部と前記非弾性部材に取り付けられた要素とを含む閉じたループであり、前記サポートが前記閉じたループを通ることを特徴とする訓練装置。
【請求項１０】
請求項８に記載の訓練装置において、前記１以上のループは、ある長さの柔軟材料を含むことを特徴とする訓練装置。
【請求項１１】
請求項８に記載の訓練装置において、前記間隔は、約１インチ（２５ｍｍ）乃至約１２インチ（３００ｍｍ）の間であることを特徴とする訓練装置。
【請求項１２】
請求項８に記載の訓練装置において、前記間隔は、約２インチ（２５ｍｍ）乃至約４インチ（約１００ｍｍ）の間であることを特徴とする訓練装置。
【請求項１３】
請求項８に記載の訓練装置において、前記サポートは摩擦サポートであることを特徴とする訓練装置。
【請求項１４】
請求項８に記載の訓練装置において、前記アンカがさらに、
前記構造体に取付可能な第１の部分と、
前記サポートを具える第２の部分と、を具え、
前記サポートが摩擦サポートであり、前記第１の部分が前記構造体に取り付けられた状態で、前記第２の部分が前記第１の部分から着脱式に連結可能であることを特徴とする訓練装置。
【請求項１５】
請求項１４に記載の訓練装置において、前記アンカがループを具え、前記ループは前記第１の部分と前記第２の部分とに着脱式に連結可能であることを特徴とする訓練装置。
【請求項１６】
請求項１５に記載の訓練装置において、前記ループは、概ね硬質材料を含むことを特徴とする訓練装置。
【請求項１７】
請求項１５に記載の訓練装置において、前記ループは第１のループであり、前記サポートが柔軟材料でなる第２のループを具えることを特徴とする訓練装置。
【請求項１８】
請求項１７に記載の訓練装置において、前記柔軟材料は紐を含むことを特徴とする訓練装置。
【請求項１９】
請求項１７に記載の訓練装置において、前記柔軟材料は、長い柔軟材料で隔てられた少なくとも２の穴を具え、前記第１のループは前記少なくとも２の穴に取り外し可能に通過し、前記第２のループが前記長い柔軟材料を含むことを特徴とする訓練装置。
【請求項２０】
請求項１４に記載の訓練装置において、前記第１の部分はドア枠に取付可能であることを特徴とする訓練装置。
【請求項２１】
構造体に取付可能な訓練装置であって、当該訓練装置が、
一対のグリップ間に、ある長さを有する非弾性細長部材と、
前記構造体に取付可能で前記非弾性細長部材用の摩擦サポートを有するアンカであって、前記一対のグリップの各々と前記摩擦サポートとの間の間隔を有し、前記アンカが前記構造体に取り付けられて前記グリップが前記構造体から離れるよう引っ張られたときに、
前記サポートが、前記構造体から離れるように延在し、
前記細長部材が、前記一対のグリップの各々と前記サポートとの間の間隔が、前記一対のグリップの１又はそれ以上を前記アンカから離すことにより調節可能となるように前記アンカを通り可動であるアンカと、
前記非弾性細長部材に取り付けられるループとを具え、
前記摩擦サポートに対する前記細長部材の位置の動きが、前記一対のグリップ間の長さより短い間隔となるよう前記ループにより制限されるように、前記摩擦サポートが前記ループを通り過ぎることを特徴とする訓練装置。
【請求項２２】
請求項２１に記載の訓練装置において、前記間隔は約１インチ（２５ｍｍ）乃至約１２インチ（０．３ｍ）の間にあることを特徴とする訓練装置。
【請求項２３】
請求項２１に記載の訓練装置において、前記アンカがさらに、
前記構造体に取付可能な第１の部分と、
前記摩擦サポートを具える第２の部分と、を具え、
前記サポートが、前記アンカに対する前記非弾性細長部材の横の動きを抑制する摩擦力を提供するとともに、
前記第１の部分が前記構造体に取り付けられた状態で、前記第２の部分が前記第１の部分から着脱式に連結可能であることを特徴とする訓練装置。
【請求項２４】
請求項２３に記載の訓練装置において、前記アンカが第１のループを具え、前記第１のループは前記第１の部分と第２の部分に着脱可能に連結し、前記サポートが柔軟材料でなる第２のループを具えることを特徴とする訓練装置。
【請求項２５】
請求項１に記載の訓練装置において、前記サポートが柔軟材料を具えることを特徴とする訓練装置。
【請求項２６】
請求項１に記載の訓練装置において、前記サポートが硬質材料を含むことを特徴とする訓練装置。
【請求項２７】
請求項８に記載の訓練装置において、前記サポートが柔軟材料を含むことを特徴とする訓練装置。
【請求項２８】
請求項８に記載の訓練装置において、前記サポートが硬質材料を含むことを特徴とする装置。
【請求項２９】
請求項２２に記載の訓練装置において、前記摩擦サポートが柔軟材料を含むことを特徴とする訓練装置。
【請求項３０】
請求項２２に記載の訓練装置において、前記摩擦サポートが硬質材料を含むことを特徴とする訓練装置。
【手続補正２】
【補正対象書類名】明細書
【補正対象項目名】００２７
【補正方法】変更
【補正の内容】
【００２７】
細長部材４２０の詳細を図６−９に示す。図６は、細長部材の平面図であり、図７は、グリップ対４２３の片方とバックル対４３５のこれに対応する部材の斜視図であり、図８は、グリップ対４２１の片方の８−８線断面図であり、図９Ａはバックル対の片方と連結ストラップ４２９の詳細を示す斜視図である。図６に示すように、細長部材４２０は長さＳであり、符号４２７ａと４２７ｂで示す２つの非弾性ストラップ部分４２７と、ストラップ４２９、及び長さＳを調整するバックル対４３５を具える。細長部材４２０の各端部から最も近いバックルにある部分は固定長であり、即ち、端部対４２１の一方からバックル対４３５の対応する部材への各２つの部分は固定長を持っている。一実施例では、長さＳは広い範囲の訓練を可能にする長さに調整可能である。従って、例であって限定ではなく、長さＳはほぼ６フィート乃至１２フィートの長さで可変である。別の実施例では、細長部材４２０は、ほぼ１．５インチの幅である。訓練に使用するときに、ストラップ４２９とループ４１５が細長部材４２０をアンカ４１０に沿ってスライドさせることができる一方で、十分な摩擦を提供して、ユーザが訓練を行っている間に細長部材がアンカをすり抜けてしまうことがないように、二つの端部４２１にミスマッチが生じないようにしている。
【手続補正３】
【補正対象書類名】明細書
【補正対象項目名】００３２
【補正方法】変更
【補正の内容】
【００３２】
自由端対４３１の片方が、図９Ａに詳細に示されている。各端部４３１は、折り曲げて、例えばステッチ９０１によって適所に保持し、操作が容易な端部を形成することが好ましい。細長部材４２０は、スリーブ９０３、９０５ａ、及び９０５ｂで示されているいくつかのスリーブを具え、ストラップ４２９を２回巻いて端部４３１がその周りを移動しないようにしている。特に、スリーブ９０３及び９０５は、バックル４３５、端部４３１及びストラップ４２９の間に配置されている。したがって、スリーブ９０３と９０５は、バックル４３５から対応する端部４３１へのストラップ４２９部分を拘束して、細長部材４２０が動いているときに、対応する端部がその周りを移動しないようにしている。図９Ａに示すように、スリーブ９０３は、近くの端部４３１に固定されているが、スリーブ９０５はストラップ４２９の長さに沿って摺動できる。図９Ｂは、図９Ａの９Ｂ−９Ｂ線に沿った断面図であり、カムバックルとスリーブ９０５ｂへのアタッチメントの詳細を示す。特に、図９Ｂは、バックル４３５と、バーとスリーブ９０５ｂに取り付けられているストラップ９０９が回転するバー９０７を示す。ストラップ９０９は、訓練装置の長さを調整する間に、ストラップ４２９があまり下まで摺動しないようにスリーブ９０５ｂを維持している。スリーブ９０５ｂは、ストラップ４２９の部分と共に、容易に移動して保持できるように弾性であることが好ましい。
【手続補正４】
【補正対象書類名】明細書
【補正対象項目名】００３７
【補正方法】変更
【補正の内容】
【００３７】
図１４Ｂは、アンカ１４１０と細長部材４２０から形成された訓練装置１４００を示す。アンカ１４１０の調整可能なループ１４１９は、ポールの先端に調整可能なループを置いて、カムバックル１４１２を用いてポールＰの周りに締め付けられている。代替的に、ストラップ１４１１は、カムバックル１４１２からの係合をはずし、ポールＰの周りに巻きつけて、次いでカムバックルを通して縫い付けて締め付けるようにしても良い。いずれの場合も、端部１４１４は、カムバックル１４１２を介して引っ張られており、調整可能なループ１４１９は、訓練装置１４００がユーザの体重を支持するのに十分な力でポールＰの周りに締め付けられている。
【手続補正５】
【補正対象書類名】明細書
【補正対象項目名】００３９
【補正方法】変更
【補正の内容】
【００３９】
図２３は、ステッチ２３１１で適所に保持されたループ２３０７を有する第１の端部２３０５と、ステッチ２３０９でできたループ内に保持されたリング２３０４を有する第２の端部２３０３を有するフレキシブルストラップ２３０１を具える、アンカ２３００の第３の実施例を示し、図２４は、細長部材１２０でも良いが、細長部材４２０を木に固定するアンカ２３００の使用を示す。一実施例では、リング２３０４がカラビナなどのゲートリングである。別の実施例では、リング２３０４がスナップリングである。ストラップ２３０１の長さの大部分が、限定するものではないが、装置の使用者の体重を支持するのに強度が十分である天然または合成材料を紐でできたストラップを含む材料で形成されていることが好ましい。好ましい紐は、限定するものではないが、ナイロン、ポリプロピレンあるいはその他のポリマ繊維でできた紐である。図２４は、アンカ２３００と、細長部材４２０からなる訓練装置２４００を示す。ストラップ２３０１は、このストラップを受けるリング２３０４を有する木の周りに巻きつけられている。ループ２３０７がストラップ４２９を受けており、木または、ストラップ２３０１を巻きつけるのに十分小さいその他の対象物に対向してユーザが訓練できるようにしている。
【手続補正６】
【補正対象書類名】明細書
【補正対象項目名】００４５
【補正方法】変更
【補正の内容】
【００４５】
細長部材２９２０は、バックル２９３５ａと２９３５ｂとして示す対のバックル２９３５を具える。バックル２９３５ａに関して詳細に示すように、バックル２９３５は、第１のリング２９３１と、中央バー２９３２およびタブ２９３６を有する第２のリング２９３３とを具える。ストラップ４２７が両のリング２９３１と２９３３に取り付けられており、ストラップ４２９がリング２９３１、バー２９３２の周りを通り、リング２９３１を通って戻る。バックル２９３５ａは、バックル拘束ストラップ４２９、４２７を示している。バックル２９３５ｂで示すように、ストラップ２９３６が引っ張られてリング２９３１と２９３３が分離したら、細長部材２９２０の長さが変わる。
【手続補正７】
【補正対象書類名】明細書
【補正対象項目名】００５７
【補正方法】変更
【補正の内容】
【００５７】
図３３の実施例では、柔軟材料は第１のストラップ３３０１と第２のストラップ３３０３とを具える。ストラップ３３０１は、端部と、リング２９１１を支持するループ３３０７を具える。ストラップ３３０３は、リング２３０４を支持するループ３３０５と、このストラップをストラップ３３０１に取り付ける縫い目３３０９とを具える。
【手続補正８】
【補正対象書類名】明細書
【補正対象項目名】００６０
【補正方法】変更
【補正の内容】
【００６０】
範囲限定型訓練装置
訓練装置１００の特定の実施例は、細長部材１２０がアンカ１１０に沿って支持される位置範囲を制限する手段を具える。このような装置のために、アンカ１１０は、細長部材１２０にグリップ１２３が一方向または他方向に引かれすぎない限り、摩擦サポートを提供する。最大位置に達すると、細長部材１２０とアンカ１１０は、グリップからの力を直接アンカにかけることによりグリップのさらなる動きを防ぐよう相互作用し、すなわちユーザがグリップを引きすぎてもグリップがそれ以上遠くへ行かないようにして、ユーザの全体重がアンカへ伝達される。動作範囲限定型の訓練装置は、１またはそれ以上の利点がある。したがって、例えば、不意にグリップを離してしまったユーザがキャッチすることによる安全機能として利用可能である。また、ユーザが運動時に動ける範囲を制限するため訓練機能としても利用可能である。また、グリップの動き無しで運動するのにも利用可能であり、すなわち、グリップとアンカの距離を固定して運動可能である。
【手続補正９】
【補正対象書類名】明細書
【補正対象項目名】００６３
【補正方法】変更
【補正の内容】
【００６３】
細長部材３６２０は、動作制限機構３２６１を具える。機構３６２１は、例えばアンカ１１０といったアンカに対する細長部材３６２０の縦の動きの動きを制限する。一実施例において、リミッタ３６２１は、連結したループまたはリングのペアを具え、このペアの一方がアンカに連結され、他方が細長部材に連結される。ループまたはリングを連結すると、リングの外周またはリングの直径により動作範囲が制限される。一実施例において、機構３６２１は、端部１２１（端部１２１ａと端部１２１ｂとして示す）の動作範囲をアンカ１１０に沿った数インチに制限する。
【手続補正１０】
【補正対象書類名】明細書
【補正対象項目名】００７５
【補正方法】変更
【補正の内容】
【００７５】
グリップアクセサリ１７００の第１の実施例では、以下に述べるようにグリップ対１２３の一方にフレキシブルループ１７１０が取り外し可能に取り付けられている。フットグリップアクセサリ１７００特定の実施例が、図１８Ａ−Ｄに示されており、図１８Ａは、フットグリップアクセサリの斜視図、図１８Ｂは、フットグリップアクセサリの底面図、図１８Ｃは、一方のグリップの取り付け部分を部分的に示す側面図、及び、図１８Ｄは、一方のグリップアクセサリ取り付け部の部分的平面図である。図１８Ａ及び１８Ｂに示すように、フットグリップアクセサリ１７００は、ループストラップ１８０１と２本の取り付け用ストラップ１８０３との３本のストラップから形成されている。この３本のストラップを取り付けて、後述するように、ループストラップ１８０１がループ１７１０を形成し、２本の取り付け用ストラップ１８０３がグリップ取り付け部分１７２０を形成している。
【手続補正１１】
【補正対象書類名】明細書
【補正対象項目名】００７６
【補正方法】変更
【補正の内容】
【００７６】
ループストラップ１８０１は、連結されてループを形成している所定長さの端部を有するストラップからできている。ループストラップ１８０１は、長さ２０インチ、幅１．５インチのポリマ繊維でできた紐であることが好ましい。好ましい実施例では、このループには、三角形状のダブルステッチ部分１８１５が二つあり、一方のステッチ部分がループストラップ１８０１の２つの端部を連結している。二本のグリップ取り付け用ストラップ１８０３は各々、第１の締結面１８０９を有する第１の端部１８０７と、第２の締結面１８１３を有する第２の端部１８１１を有する所定の長さのストラップから形成されている。取り付け用ストラップ１８０３は、ポリマ繊維紐であることが好ましい。一実施例では、ストラップ１８０３は、長さ７．５インチ、幅１．５インチである。締結面１８０９及び１８１３は、一実施例では、二重ステッチ１８１７によってループストラップ１８０１に取り付けられており、グリップ取り付け用ストラップ１８０３は、端部１８０７と１８１１の中央でループストラップにダブルステッチ１８０５で連結されていることが好ましい。
【手続補正１２】
【補正対象書類名】明細書
【補正対象項目名】００７８
【補正方法】変更
【補正の内容】
【００７８】
フットグリップアクセサリ１７００は取り外し可能に取り付けられており、以下のようにして使用する。フットグリップアクセサリ１７００のグリップ取り付け部分１７２０は、グリップ１２３ａ周囲の各ストラップ１８０３の長さをラッピングして、締結面１８０９と１８１３を各ストラップの接触させることによって、グリップ対１２３の一方に取り外し可能に取り付けられる。ステッチ１８１５によって、ねじることなくループ１７１０を開くことができ、足を固定する固定ストラップを提供する。
【手続補正１３】
【補正対象書類名】明細書
【補正対象項目名】００８１
【補正方法】変更
【補正の内容】
【００８１】
図２０Ａ−２０Ｃには、フィンガグリップアクセサリ１９００の特定の実施例が示されており、図２０Ａは、フィンガグリップアクセサリの斜視図、図２０Ｂはフィンガグリップアクセサリの２０Ｂ−２０Ｂ線に沿った平面図、及び図２０Ｃは、フィンガグリップアクセサリの２０Ｃ−２０Ｃ線に沿った断面図である。フィンガグリップアクセサリ１９００は、２本のループ１９１０、すなわち、第１のループ１９１０ａと第２のループ１９１０ｂを具え、グリップ取り付け部１９２０は、１９２０ａ、１９２０ｂ、及び１９２０ｃの３部分を具える。より詳細には、フィンガグリップアクセサリ１９００は、５本のストラップ、すなわち、ループストラップ２００１、３本の取り付け用ストラップ１８０３、及びバックストラップ２００３で形成されている。以下に説明するようにして取り付けた５本のストラップによって、ループストラップ２００１は第１のループ１９１０ａと第２のループ１９１０ｂを形成しており、一またはそれ以上の指をそれぞれ受けることができる。また、３つの取り付け用ストラップ１８０３は、グリップ取り付け部１９２０ａ、１９２０ｂ、１９２０ｃの一つを形成している。フィンガグリップアクセサリ１９００のほとんどの部分が、フットグリップアクセサリ１７００と同じ材料でできていることが好ましい。
【手続補正１４】
【補正対象書類名】明細書
【補正対象項目名】００８５
【補正方法】変更
【補正の内容】
【００８５】
グリップ取り付け部２１２０は、上述した通り、グリップ対１２３の一方に取り外し可能に取り付けることができる。このように固定したグリップアクセサリ２１００を用いて、１本から４本すべてのコード２１１０をグリップすることができ、これを引っ張ることにより、訓練装置１００に対して力をかけることができる。一実施例では、各グリップ対１２３に一のグリップアクセサリ２１００が設けられている。
【手続補正１５】
【補正対象書類名】明細書
【補正対象項目名】００８８
【補正方法】変更
【補正の内容】
【００８８】
一実施例では、ストラップ２２０５と２２０７が、ポリマ繊維でできた紐であり、バックストラップ２２０５は、長さ５インチ、幅１インチであり、前側ストラップ２２０７は、好ましくは、長さ６インチ、幅１インチである。コード２２０１と２２０３は、一実施例では、長さが約２０インチ乃至３０インチの綿コードであり、別の実施例では、長さが約２２インチ乃至約２６インチである。さらに別の実施例では、長さが約２４インチである。一実施例では、コード２２０１と２２０３が好ましくは、直径１／２インチないし１インチであり、あるいは別の実施例では、約３／４インチである。ストラップ２２０５と２２０７間のジョイントと、取り付け用ストラップ１８０３は、好ましくはダブルステッチで取り付けられている。この結果、グリップアクセサリ２１００は、約１０インチの把持可能な長さの４本のコードとなり、人の手がコード２１１０間を通ってコードを握るのに十分なものになっている。
【手続補正１６】
【補正対象書類名】明細書
【補正対象項目名】００８９
【補正方法】変更
【補正の内容】
【００８９】
グリップアクセサリ２１００は、取り外し可能に取り付けることができ、以下のようにして使用する。グリップ取り付け部分２１２０は、締結面１８０９と１８１３を各ストラップ１８０３に接触させることによって、グリップ対１２３のうちの一方に取り外し可能に取り付けることができる。このように固定したフィンガグリップアクセサリ２１００を用いて、１本、２本、３本、あるいは４本全部のコード２１１０ａ−ｄを手で握ることができる。たとえば、図２１Ａは、ユーザが握るコード２１１０ａ、２１１０ｂ、および２１１０ｃを示す図であり、図２１Ｂは、ユーザが握るコード２１１０ａと２１１０ｂを示す図であり、図２１Ｃは、ユーザが握るコード２１１０ａを示す図である。このようにして握られるコード２１１０を用いて、ユーザは訓練装置１００に対して力をかけることができる。
【手続補正１７】
【補正対象書類名】明細書
【補正対象項目名】００９２
【補正方法】変更
【補正の内容】
【００９２】
一実施例では、ループ２７１０は、一またはそれ以上の非弾性片からできたストラップであり、互いに取り付けて部分８０３を通る連続ループを形成し、このループは、ハンドグリップに４２３に一体的に取り付けられている。したがって、たとえば、ハンドグリップ４２３ａは、内側円柱状筒状部８０３の第１の端部８０３−１と第２の端部８０３−２に対応する第１の端部４２３ａ−１と４２３ａ−２を有している。一実施例では、ループ２７１０が端部を互いに縫い付けた一またはそれ以上の紐片でできており、部分８０３を通るシングルループを形成し、結果として、ハンドグリップの下にループの一部がつり下がっている。
【手続補正１８】
【補正対象書類名】明細書
【補正対象項目名】００９６
【補正方法】変更
【補正の内容】
【００９６】
さらに別の実施例では、ループ２７１０または２８１０は部分８０３を通るループを形成しておらず、端部８０３−１、８０３−２に、あるいはその近傍に取り付けられている。
【手続補正１９】
【補正対象書類名】明細書
【補正対象項目名】００９８
【補正方法】変更
【補正の内容】
【００９８】
コンビネーショングリップ３８００は、ストラップ４２７に取り付けた、あるいはストラップ４２７の延長である部分３８０１を具える。コンビネーショングリップ３８００は、上側ループ３８０２、グリップ４２３、および下側ループ３８０４を具える。部分３８０１は、円筒状筒状部８０３を通過して、上側ループ３８０２と下側ループ３８０４を形成している。部分３８０１は、例えば、限定することなく、紐の長さであるか、あるいは、細長部材４２０に関して述べたように、紐の連結部分の長さであってもよい。以下に述べるように、グリップ４２３は部分３８０１に沿って移動することができ、したがって、ループ３８０２と３８０４のサイズを調整することができる。
【手続補正２０】
【補正対象書類名】図面
【補正対象項目名】図２５
【補正方法】変更
【補正の内容】
【図２５】
2010538767.tif 000001
【手続補正２１】
【補正対象書類名】図面
【補正対象項目名】図３８
【補正方法】変更
【補正の内容】
【図３８】
2010538767.tif 000002